(57)【要約】      （修正有）【課題】装置又は回路間を接続するケーブルのコネクタが未接続の場合、装置内の回路の損傷を抑制することが可能なアンテナ装置、アンテナ制御装置及びアンテナシステムを提供する。【解決手段】アンテナ装置は、アンテナ筐体（アンテナ）と、変調した制御信号である変調制御信号Ｓ３、ＲＦ信号（給電信号）Ｓ１、及び直流電源が入力されるＲＦコネクタ４２６と、変調制御信号Ｓ３を制御信号に復調するモデム回路４２３と、モデム回路４２３によって復調された制御信号及び直流電源からなるＡＩＳＧ信号Ｓ２に基づいてアンテナ筐体を制御するＡＩＳＧデバイスと、ＲＦコネクタ４２６とモデム回路４２３との間の配線を、直流電源が供給されたときに閉成し、直流電源が供給されないときに開成するスイッチ回路４２５とを備える。【選択図】図３
2013232769.tif 000002
【特許請求の範囲】
【請求項１】
アンテナと、
ケーブルを介して送信された変調された制御信号である変調制御信号、給電信号、及び直流電源が入力されるコネクタと、
前記変調制御信号を制御信号に復調する復調回路と、
前記復調回路によって復調された前記制御信号及び前記直流電源に基づいて前記アンテナを制御する制御部と、
前記コネクタと前記復調回路との間の配線を、前記直流電源が供給されたときに閉成し、前記直流電源が供給されないときに開成するスイッチ回路とを備えたアンテナ装置。
【請求項２】
前記スイッチ回路は、前記変調制御信号が前記復調回路に入力する信号ラインに設けられた請求項１に記載のアンテナ装置。
【請求項３】
前記スイッチ回路は、前記復調回路と前記制御部との間にそれぞれ設けられた請求項２に記載のアンテナ装置。
【請求項４】
前記スイッチ回路は、前記復調回路への前記直流電源の供給ラインに設けられた請求項２又は３に記載のアンテナ装置。
【請求項５】
前記スイッチ回路は、前記直流電源が出力されたとき接触片が第１の接点に接触し、前記直流電源が出力されないとき前記接触片が第２の接点に接触し、前記第２の接点は、アースに接地されている請求項１乃至４のいずれか１項に記載のアンテナ装置。
【請求項６】
アンテナを制御する制御信号を変調する変調回路と、
前記変調回路によって変調された制御信号である変調制御信号、前記アンテナに給電する給電信号、及び直流電源がケーブルを介して出力されるコネクタと、
前記変調回路と前記コネクタとの間の配線を、前記直流電源が供給されたときに閉成し、前記直流電源が供給されないときに開成するスイッチ回路とを備えたアンテナ制御装置。
【請求項７】
前記スイッチ回路は、前記変調回路から出力される前記変調制御信号の信号ラインに設けられた請求項６に記載のアンテナ制御装置。
【請求項８】
制御信号を変調する変調回路と、前記変調回路によって変調された制御信号である変調制御信号、給電信号、及び直流電源がケーブルを介して出力される第１のコネクタとを備えたアンテナ制御装置と、
アンテナと、前記アンテナ制御装置の前記第１のコネクタから前記ケーブルを介して出力された前記変調制御信号、前記給電信号及び前記直流電源が入力される第２のコネクタと、前記給電信号を前記アンテナに給電し、前記変調制御信号を前記制御信号に復調する復調回路と、前記復調回路によって復調された前記制御信号及び前記直流電源に基づいて前記アンテナを制御する制御部とを備えたアンテナ装置と、
前記アンテナ制御装置の前記変調回路と前記第１のコネクタとの間の配線、又は前記アンテナ装置の前記第２のコネクタと前記復調回路との間の配線を、前記直流電源が供給されたときに閉成し、前記直流電源が供給されないときに開成するスイッチ回路とを備えたアンテナシステム。
【発明の詳細な説明】
【技術分野】
【０００１】
本発明は、アンテナ制御装置とアンテナ装置間で給電線を介して給電信号を伝送するアンテナ装置、アンテナ制御装置及びアンテナシステムに関する。
【背景技術】
【０００２】
近年、第３世代の携帯電話方式である３Ｇ通信方式の普及により、このデジタル通信方式に対応した電波送受信のシステムが進歩している。このようなデジタル通信方式において、無線基地局に設置されるアンテナ装置の制御を行う国際標準規格として、ＡＩＳＧ（Antenna Interface Standards Group）の規格が存在する（例えば、特許文献１参照）。
【０００３】
このＡＩＳＧの規格に対応した無線基地局では、アンテナ及びアンテナの制御を行うＲＥＴ（Remote Electrical Tilt）ユニットなどのＡＩＳＧデバイスを備えたアンテナ装置は、鉄塔の上部やビルの屋上などの高い位置に配置される。他方、アンテナに給電を行う無線機、及びＡＩＳＧデバイスを制御するＡＩＳＧ制御装置を備えたアンテナ制御装置は、鉄塔の下部などの低い位置に配置され、アンテナ装置とアンテナ制御装置とは、給電ケーブルで接続されるのが一般的である。
【０００４】
上記のように構成されたアンテナシステムにおいて、アンテナ制御装置では、無線機がアンテナに給電する給電信号であるＲＦ信号を出力し、ＡＩＳＧ制御装置が、ＡＩＳＧデバイスを駆動及び制御するための直流電源及び制御信号からなるＡＩＳＧ信号を出力する。そしてＢＳモデムが、ＲＦ信号とＡＩＳＧ信号を変調した変調信号とを合成し、その合成信号を給電ケーブルを介してアンテナ装置のアンテナモデムに送信する。アンテナ装置では、アンテナモデムが、合成信号を変調信号とＲＦ信号とに分離し、分離後のＲＦ信号をアンテナに給電し、アンテナモデム内のモデム回路（復調回路）により変調信号を復調した制御信号及び直流電源からなるＡＩＳＧ信号をＡＩＳＧデバイスに出力する。
【先行技術文献】
【特許文献】
【０００５】
【特許文献１】特表２０１０−５１９８０４号公報
【発明の概要】
【発明が解決しようとする課題】
【０００６】
しかし、従来のアンテナシステムによると、装置又は回路間を接続するケーブルのコネクタが未接続の場合、そのケーブルを経て雑音（雷サージを含む。）が回路へ混入して回路を損傷させる場合がある。
【０００７】
したがって、本発明の目的は、装置又は回路間を接続するケーブルのコネクタが未接続の場合、装置内の回路の損傷を抑制することが可能なアンテナ装置、アンテナ制御装置及びアンテナシステムを提供することにある。
【課題を解決するための手段】
【０００８】
本発明は、上記目的を達成するため、アンテナと、ケーブルを介して送信された変調された制御信号である変調制御信号、給電信号、及び直流電源が入力されるコネクタと、前記変調制御信号を制御信号に復調する復調回路と、前記復調回路によって復調された前記制御信号及び前記直流電源に基づいて前記アンテナを制御する制御部と、前記コネクタと前記復調回路との間の配線を、前記直流電源が供給されたときに閉成し、前記直流電源が供給されないときに開成するスイッチ回路とを備えたアンテナ装置を提供する。
【０００９】
前記スイッチ回路は、前記変調制御信号が前記復調回路に入力する信号ラインに設けられた構成でもよい。また、前記スイッチ回路は、前記復調回路と前記制御部との間にそれぞれ設けられた構成でもよい。また、前記スイッチ回路は、前記復調回路への前記直流電源の供給ラインに設けられた構成でもよい。また、前記スイッチ回路は、前記直流電源が出力されたとき接触片が第１の接点に接触し、前記直流電源が出力されないとき前記接触片が第２の接点に接触し、前記第２の接点は、アースに接地されている構成でもよい。
【００１０】
また、本発明は、上記目的を達成するため、アンテナを制御する制御信号を変調する変調回路と、前記変調回路によって変調された制御信号である変調制御信号、前記アンテナに給電する給電信号、及び直流電源がケーブルを介して出力されるコネクタと、前記変調回路と前記コネクタとの間の配線を、前記直流電源が供給されたときに閉成し、前記直流電源が供給されないときに開成するスイッチ回路とを備えたアンテナ制御装置を提供する。
【００１１】
前記スイッチ回路は、前記変調回路から出力される前記変調制御信号の信号ラインに設けられた構成でもよい。
【００１２】
また、本発明は、上記目的を達成するため、制御信号を変調する変調回路と、前記変調回路によって変調された制御信号である変調制御信号、給電信号、及び直流電源がケーブルを介して出力される第１のコネクタとを備えたアンテナ制御装置と、アンテナと、前記アンテナ制御装置の前記第１のコネクタから前記ケーブルを介して出力された前記変調制御信号、前記給電信号及び前記直流電源が入力される第２のコネクタと、前記給電信号を前記アンテナに給電し、前記変調制御信号を前記制御信号に復調する復調回路と、前記復調回路によって復調された前記制御信号及び前記直流電源に基づいて前記アンテナを制御する制御部とを備えたアンテナ装置と、前記アンテナ制御装置の前記変調回路と前記第１のコネクタとの間の配線、又は前記アンテナ装置の前記第２のコネクタと前記復調回路との間の配線を、前記直流電源が供給されたときに閉成し、前記直流電源が供給されないときに開成するスイッチ回路とを備えたアンテナシステムを提供する。
【発明の効果】
【００１３】
本発明によれば、装置又は回路間を接続するケーブルのコネクタが未接続の場合、装置内の回路の損傷を抑制することが可能になる。
【図面の簡単な説明】
【００１４】
【図１】図１は、本発明の実施の形態に係るアンテナシステムの構成例を示す図である。
【図２】図２は、ＢＳモデムの内部の構成例を示す図である。
【図３】図３は、アンテナモデムの内部の構成例を示す図である。
【図４】図４は、スイッチ回路の構成例を示す図であり、（ａ）は動作前、（ｂ）は動作後を示す図である。
【図５】図５は、アンテナ制御装置とアンテナ装置間用のＲＦ給電線が未接続状態を示す図である。
【図６】図６は、変形例１に係るアンテナモデムの内部の構成例を示す図である。
【図７】図７は、変形例２に係るアンテナモデムの内部の構成例を示す図である。
【図８】図８は、変形例３に係るアンテナモデムの内部の構成例を示す図である。
【図９】図９は、変形例４に係るアンテナモデムの内部の構成例を示す図である。
【図１０】図１０は、変形例５に係るアンテナモデムの内部の構成例を示す図である。
【図１１】図１１は、変形例６に係るＢＳモデムの内部の構成例を示す図である。
【図１２】図１２は、変形例７に係るＢＳモデムの内部の構成例を示す図である。
【発明を実施するための形態】
【００１５】
以下、本発明の実施の形態及び変形例について図面を参照して説明する。なお、各図中、実質的に同一の機能を有する構成要素については、同一の符号を付してその重複した説明を省略する。
【００１６】
［実施の形態］
図１は、本発明の実施の形態に係るアンテナシステムの構成例を示す図である。このアンテナシステム１は、アンテナ制御装置２と、該アンテナ制御装置２とＲＦ給電ケーブル３を介して接続されるアンテナ装置４とを有する。アンテナ装置４は、アンテナ制御装置２により駆動及び制御されて、例えば、携帯電話機等の無線端末との間で電波を送受信する。なお、このアンテナシステム１は、例えば無線基地局やビル等に設置される。
【００１７】
（アンテナ制御装置）
アンテナ制御装置２は、アンテナユニット４０に給電するための給電信号としてのＲＦ信号Ｓ１を出力する無線機２０と、ＡＩＳＧデバイス４４を駆動及び制御するための直流電源及び制御信号からなるＡＩＳＧ信号Ｓ２を出力するＡＩＳＧ制御装置２１と、ＢＳ（Base Station）モデム２４とを備える。ＢＳモデム２４は、無線機２０からのＲＦ信号Ｓ１とＡＩＳＧ制御装置２１からのＡＩＳＧ信号Ｓ２を変調したAISG Coaxial Interface信号（変調信号）Ｓ４とを合成すると共に、その合成した信号である合成信号Ｓ５をアンテナ装置４に送信する。なお、ＡＩＳＧ信号Ｓ２は、ＡＩＳＧ規格に準拠した信号であり、ＡＩＳＧデバイス４４を駆動するための直流電圧（例えば１０〜３０Ｖ）による直流電源とＡＩＳＧデバイス４４を制御するための制御信号とからなる信号である。
【００１８】
無線機２０とＢＳモデム２４とは、ＲＦ給電ケーブル２２により接続されている。すなわち、無線機２０の筐体２００に設けられたＲＦコネクタ２０１にＲＦ給電ケーブル２２の一方のコネクタ２２ａを接続し、ＢＳモデム２４の筐体２４０に設けられたＲＦコネクタ２４１にＲＦ給電ケーブル２２の他方のコネクタ２２ｂを接続することで、無線機２０とＢＳモデム２４とが接続される。ＲＦ給電ケーブル２２としては、例えば同軸ケーブルが用いられる。
【００１９】
ＡＩＳＧ制御装置２１とＢＳモデム２４とは、ＡＩＳＧケーブル２３により接続されている。すなわち、ＡＩＳＧ制御装置２１の筐体２１０に設けられたＡＩＳＧコネクタ（メス型）２１１にＡＩＳＧケーブル２３の一方のＡＩＳＧコネクタ（オス型）２３ａを接続し、ＢＳモデム２４の筐体２４０に設けられたＡＩＳＧコネクタ（オス型）２４２にＡＩＳＧケーブル２３の他方のＡＩＳＧコネクタ（メス型）２３ｂを接続することで、ＡＩＳＧ制御装置２１とＢＳモデム２４とが接続される。
【００２０】
ＡＩＳＧケーブル２３は、直流電源を伝送するための直流電源線と、制御信号を伝送するための２本の制御信号線とを備えている。ＡＩＳＧコネクタ２３ａ、２３ｂ、２１１、２４２は、ＡＩＳＧ規格に準拠した一般的なコネクタである。
【００２１】
（アンテナ装置）
アンテナ装置４は、ＲＦ給電ケーブル３を介してアンテナ制御装置２から送信された合成信号Ｓ５を受信しAISG Coaxial Interface信号（変調信号）Ｓ４とＲＦ信号（給電信号）Ｓ１とに分離し、AISG Coaxial Interface信号Ｓ４を直流電源及び制御信号からなるＡＩＳＧ信号Ｓ２に復調するアンテナモデム４２と、ＲＦ給電ケーブル４１を介してアンテナモデム４２から送信されたＲＦ信号Ｓ１を受信するアンテナユニット４０と、ＡＩＳＧケーブル４３を介してアンテナモデム４２から送信されたＡＩＳＧ信号Ｓ２に基づいてアンテナユニット４０を制御するＡＩＳＧデバイス４４とを備える。なお、ＡＩＳＧデバイス４４は、制御部の一例である。
【００２２】
アンテナユニット４０は、アンテナ筐体４００を有し、このアンテナ筐体４００の表面に、前述したように、ＲＦコネクタ４０１を設けている。
【００２３】
アンテナ筐体４００は、容器の機能とアンテナの機能とを備えた筐体であり、アンテナモデム４２からＲＦ信号Ｓ１が給電され、電波を送信するように構成されている。なお、アンテナの機能を筐体とは別にして、別箇、アンテナをアンテナ筐体４００に設けてもよい。
【００２４】
ＡＩＳＧデバイス４４は、ＡＩＳＧ規格に準拠してアンテナユニット４０を制御するものであり、例えば電動リモート・チルト・ユニット（ＲＥＴ）である。また、ＡＩＳＧデバイス４４は、ＡＩＳＧ制御装置２１からの直流電源（ＡＩＳＧ信号Ｓ２の一部）を電源として駆動し、ＡＩＳＧ制御装置２１からの制御信号（ＡＩＳＧ信号Ｓ２の一部）に基づいてアンテナユニット４０の垂直方向の指向性等を制御する。
【００２５】
アンテナモデム４２とアンテナユニット４０とは、ＲＦ給電ケーブル４１により接続されている。すなわち、アンテナモデム４２の筐体４２０に設けられたＲＦコネクタ４２７にＲＦ給電ケーブル４１の一方のＲＦコネクタ４１ａを接続し、アンテナユニット４０のアンテナ筐体４００に設けられたＲＦコネクタ４０２とＲＦ給電ケーブル４１の他方のＲＦコネクタ４１ｂを接続することで、アンテナユニット４０とアンテナモデム４２とが接続される。アンテナ筐体４００は、アンテナの一例である。
【００２６】
アンテナモデム４２とＡＩＳＧデバイス４４とは、ＡＩＳＧケーブル４３により接続されている。すなわち、アンテナモデム４２の筐体４２０に設けられたＡＩＳＧコネクタ（メス型）４２１にＡＩＳＧケーブル４３の一方のＡＩＳＧコネクタ（オス型）４３ａを接続し、ＡＩＳＧデバイス４４の筐体４４０に設けられたＡＩＳＧコネクタ（オス型）４４１にＡＩＳＧケーブル４３の他方のＡＩＳＧコネクタ（メス型）４３ｂを接続することで、アンテナモデム４２とＡＩＳＧデバイス４４とが接続される。
【００２７】
ＡＩＳＧケーブル４３は、直流電源を伝送するための直流電源線と、制御信号を伝送するための２本の制御信号線とを備えている。ＡＩＳＧコネクタ４３ａ、４３ｂ、４２１、４４１は、ＡＩＳＧ規格に準拠した一般的なコネクタである。
【００２８】
アンテナモデム４２は、例えば鉄塔の上部に設けられ、ＢＳモデム２４は、例えば鉄塔の下部に設けられ、アンテナモデム４２とＢＳモデム２４とは、前述したようにＲＦ給電ケーブル３により接続される。すなわち、ＢＳモデム２４のＲＦコネクタ２４３にＲＦ給電ケーブル３の一方のコネクタ３ａを接続し、アンテナモデム４２のＲＦコネクタ４２６にＲＦ給電ケーブル３の他方のコネクタ３ｂを接続することで、アンテナモデム４２とＢＳモデム２４とが接続される。ＲＦ給電ケーブル３としては、例えば同軸ケーブルが用いられる。ＲＦコネクタ３ａ、２４３は、第１のコネクタの一例であり、ＲＦコネクタ３ｂ、４２６は、第２のコネクタの一例である。
【００２９】
（ＢＳモデム）
図２は、ＢＳモデムの内部の構成例を示す図である。ＢＳモデム２４は、筐体２４０を有し、この筐体２４０の表面に、上述したように、ＲＦコネクタ２４１、ＡＩＳＧコネクタ（オス型）２４２及びＲＦコネクタ２４３を設けている。また、ＢＳモデム２４は、筐体２４０の内部に、モデム回路２４４、合成回路２４５、AISG Coaxial Interface用のバイアスティー２４６を設けている。モデム回路２４４は、変調回路の一例である。合成回路２４５は、第１の合成回路の一例である。バイアスティー２４６は、第２の合成回路の一例である。
【００３０】
ＡＩＳＧコネクタ２４２からＡＩＳＧ電源ライン２４２ａがモデム回路２４４及び合成回路２４５に接続されている。また、ＡＩＳＧコネクタ２４２からＲＳ４８５信号ライン２４２ｂ、２４２ｃがモデム回路２４４に接続されている。
【００３１】
モデム回路２４４は、ＡＩＳＧ信号Ｓ２に含まれる制御信号の変調を行い、得られた変調した変調制御信号Ｓ３を搬送周波数２．１７６ＭＨｚのＯｎ−ｏｆｆ−ｋｅｙｉｎｇ信号として合成回路２４５に出力する。
【００３２】
合成回路２４５は、ＡＩＳＧ電源ライン２４２ａからの直流電源に、モデム回路２４４からの変調制御信号Ｓ３を重畳したAISG Coaxial Interface信号（変調信号）Ｓ４を生成し、その信号Ｓ４をバイアスティー２４６に出力する。
【００３３】
バイアスティー２４６は、アンテナ制御装置２からのＲＦ信号Ｓ１と合成回路２４５からのAISG Coaxial Interface信号（変調信号）Ｓ４とを合成した合成信号Ｓ５をＲＦ給電ケーブル３を介してアンテナ装置４に送信する。ＲＦコネクタ２４３は、合成信号Ｓ５がＲＦ給電ケーブル３を介して出力される。
【００３４】
（アンテナモデム）
図３は、アンテナモデム４２の内部の構成例を示す図である。アンテナモデム４２は、筐体４２０を有し、この筐体４２０の表面に、前述したようにＡＩＳＧコネクタ４２１及びＲＦコネクタ４２６、４２７を設けている。また、アンテナモデム４２は、筐体４２０の内部に、分離回路４２２、モデム回路４２３、バイアスティー４２４及びスイッチ回路４２５を設けている。ＲＦコネクタ４２６は、ＲＦ給電ケーブル３を介して送信された合成信号Ｓ５が入力される。バイアスティー４２４は、第１の分離回路の一例である。分離回路４２２は、第２の分離回路の一例である。モデム回路４２３は、復調回路の一例である。
【００３５】
バイアスティー４２４は、アンテナ制御装置２からの合成信号Ｓ５をAISG Coaxial Interface信号（変調信号）Ｓ４とＲＦ信号（給電信号）Ｓ１とに分離し、分離後のAISG Coaxial Interface信号Ｓ４を分離回路４２２に出力し、分離後のＲＦ信号Ｓ１をアンテナユニット４０に給電するものである。
【００３６】
分離回路４２２は、バイアスティー４２４からのAISG Coaxial Interface信号（変調信号）信号Ｓ４を変調制御信号Ｓ３と直流電源に分離し、分離後の変調制御信号Ｓ３は、スイッチ回路４２５を経由してモデム回路４２３に出力する一方、分離後の直流電源は、電源ライン４２１ａを経由してスイッチ回路４２５、モデム回路４２３及びＡＩＳＧコネクタ４２１に出力する。
【００３７】
モデム回路４２３は、分離回路４２２からの変調制御信号Ｓ３の復調を行い、得られた復調した制御信号をＲＳ４８５信号ライン４２１ｂ、４２１ｃを経由してＡＩＳＧコネクタ４２１に出力する。つまり、アンテナモデム４２は、ＡＩＳＧ制御装置２１から送信された直流電源及び制御信号からなるＡＩＳＧ信号Ｓ２をＡＩＳＧコネクタ４２１及びＡＩＳＧケーブル４３を介してＡＩＳＧデバイス４４に出力する。
【００３８】
スイッチ回路４２５は、アンテナ制御装置２側から直流電源が供給されたときに制御信号に係る伝送路を閉成し、直流電源が供給されないときに制御信号に係る伝送路を開成するものである。具体的には、スイッチ回路４２５は、接点４２５ａを接触片４２５ｂにより開閉するノーマルオープン型のスイッチであり、アンテナ制御装置２側から直流電源が供給されたときは、オン動作、すなわち接触片４２５ｂが接点４２５ａに接触して分離回路４２２からモデム回路４２３への制御信号の伝送路を閉成し、アンテナ制御装置２側から直流電源が供給されないときは、オフ動作、すなわち接触片４２５ｂが接点４２５ａから離れて分離回路４２２からモデム回路４２３への制御信号の伝送路を開成するように構成されている。
【００３９】
図４は、スイッチ回路の構成例を示す図であり、（ａ）は動作前、（ｂ）は動作後を示す図である。スイッチ回路４２５は、例えば、リレーを用いて構成され、鉄心にコイルを巻回してなる電磁石部４２５ｃを有し、電磁石部４２５ｃの通電／非通電に応じて接点４２５ａを接触片４２５ｂにより開閉する。本実施の形態のリレーは、図４（ａ）に示す状態において、電磁石部４２５ｃのコイルに通電されることで、図４（ｂ）に示すように、接触片４２５ｂが動作して接点４２５ａと導通状態となる。
【００４０】
（アンテナシステムの動作）
次に、アンテナシステム１の動作の一例を説明する。アンテナ制御装置２では、無線機２０からＲＦ信号Ｓ１が出力され、ＡＩＳＧ制御装置２１から直流電源及び制御信号からなるＡＩＳＧ信号Ｓ２が出力される。ＢＳモデム２４では、無線機２０からのＲＦ信号Ｓ１とＡＩＳＧ制御装置２１からのＡＩＳＧ信号Ｓ２を変調したAISG Coaxial Interface信号Ｓ４とを合成し、その合成信号Ｓ５をＲＦ給電ケーブル３を介してアンテナ装置４に送信する。
【００４１】
アンテナ装置４では、アンテナ制御装置２から送信された合成信号Ｓ５がアンテナモデム４２のバイアスティー４２４によりAISG Coaxial Interface信号Ｓ４とＲＦ信号Ｓ１とに分離され、分離後のＲＦ信号Ｓ１はアンテナユニット４０に送信される。AISG Coaxial Interface信号Ｓ４は、分離回路４２２により変調制御信号Ｓ３と直流電源に分離され、直流電源はスイッチ回路４２５に入力され、スイッチ回路４２５がオン動作するので、変調制御信号Ｓ３がモデム回路４２３に入力される。モデム回路４２３に入力した変調制御信号Ｓ３は、制御信号に復調され、ＡＩＳＧコネクタ４２１に出力される。分離回路４２２からの直流電源及びモデム回路４２３からの制御信号からなるＡＩＳＧ信号Ｓ２がＡＩＳＧデバイス４４に送信される。ＡＩＳＧデバイス４４は、直流電源に基づいて駆動し、制御信号に基づいてアンテナユニット４０を制御する。例えば、ＡＩＳＧデバイス４４は、制御信号に基づきアンテナユニット４０の垂直方向の指向性を変位する。
【００４２】
ここで、図５に示すように、アンテナ制御装置２とアンテナ装置４とを接続するＲＦ給電ケーブル３のアンテナ制御装置２側のコネクタ３ａが外れた場合、アンテナ制御装置２からの合成信号Ｓ５がアンテナ装置４に送信されなくなるため、スイッチ回路４２５に直流電源が供給されなくなり、スイッチ回路４２５がオフ状態なる。このため、落雷等による雑音ＮがＲＦ給電ケーブル３を経てアンテナモデム４２に混入してもモデム回路４２３等が損傷するのが抑制される。
【００４３】
（実施の形態の効果）
本実施の形態によれば、ＲＦ給電ケーブル３が未接続になった場合、スイッチ回路４２５がオフ状態となってモデム回路４２３への信号経路を遮断するので、ＲＦ給電ケーブル３を経由して混入した雑音Ｎによってモデム回路４２３が損傷するのを抑制することができる。
【００４４】
（変形例１）
図６は、変形例１に係るアンテナモデムの内部の構成例を示す図である。この変形例１は、モデム回路４２３の前段に図３と同様にスイッチ回路４２５Ａを設けるとともに、電源ライン４２１ａとＲＳ４８５信号ライン４２１ｂ、４２１ｃの両方にそれぞれスイッチ回路４２５Ｂ、４２５Ｃを設けたものである。
【００４５】
各スイッチ回路４２５Ａ〜４２５Ｃは、図４で示したのと同様にリレーを用いて構成されている。
【００４６】
この変形例１によれば、ＲＦ給電ケーブル３が未接続になった場合、スイッチ回路４２５Ａがオフ状態となるので、雑音ＮがＲＦ給電ケーブル３を経由してアンテナモデム４２に混入してもアンテナモデム４２内のモデム回路４２３の損傷を抑制することができる。また、モデム回路４２３よりも後段側、すなわちコネクタ４２１側にもスイッチ回路４２５Ｂ、４２５Ｃを設けているので、アンテナモデム４２とＡＩＳＧデバイス４４とを接続するＡＩＳＧケーブル４３を経由して雑音Ｎがアンテナモデム４２に混入してもモデム回路４２３の損傷を抑制することができる。
【００４７】
（変形例２）
図７は、変形例２に係るアンテナモデムの内部の構成例を示す図である。この変形例２は、図３に示すアンテナモデムにおいて、スイッチ回路４２５の構成を変えたものである。変形例２のスイッチ回路４２５は、オフ状態のときに、接触片４２５ｂがアースに接地した接点４２５ｄに接触するようにしたものである。
【００４８】
この変形例２によれば、オフ状態のときに接触片４２５ｂをアースに接地しない構成と比べて、モデム回路４２３の損傷をより抑制することが可能になる。
【００４９】
（変形例３）
図８は、変形例３に係るアンテナモデムの内部の構成例を示す図である。この変形例２は、この変形例１は、モデム回路４２５の前段に図３と同様にスイッチ回路４２５Ａを設けるとともに、電源ライン４２１ａとモデム回路４２３との間にもスイッチ回路４２５Ｂを設けたものである。
【００５０】
この変形例３によれば、分離回路４２２からモデム回路４２３への線路に雑音Ｎが混入しても本実施の形態と同様にモデム回路４２３の損傷を抑制することができる。また、分離回路４２２から電源ライン４２１ａに雑音Ｎが混入してもモデム回路４２３の損傷を抑制することができる。
【００５１】
（変形例４）
図９は、変形例４に係るアンテナモデムの内部の構成例を示す図である。この変形例４は、図４に示すアンテナモデム４２において、電源ライン４２１ａ及びＲＳ４８５信号ライン４２１ｂ、４２１ｃ上にサージ保護回路４２８を設けたものである。
【００５２】
この変形例４によれば、ＲＦ給電ケーブル３経由の雑音Ｎに対しては本実施の形態と同様にモデム回路４２３の損傷を抑制することができる。また、アンテナモデム４２とＡＩＳＧデバイス４４とを接続するＡＩＳＧケーブル４３を経由して雑音Ｎがアンテナモデム４２に混入してもサージ保護回路４２８によりモデム回路４２３の損傷を抑制することができる。
【００５３】
（変形例５）
図１０は、変形例５に係るアンテナモデムの内部の構成例を示す図である。この変形例５は、図４に示すアンテナモデム４２において、電源ライン４２１ａとスイッチ回路４２５及びモデム回路４２３との間に電源回路４２９を設けたものである。電源回路４２９は、例えばＤＣ／ＤＣコンバータによりスイッチ回路４２５の動作用に電圧を変換するものである。
【００５４】
この変形例５によれば、雑音ＮがＲＦ給電ケーブル３経由でアンテナモデム４２に混入しても本実施の形態と同様にモデム回路４２３の損傷を抑制することができる。
【００５５】
（変形例６）
図１１は、変形例６に係るＢＳモデムの内部の構成例を示す図である。この変形例６は、図２に示すＢＳ２４において、モデム回路２４４と合成回路２４５との間にスイッチ回路２４７を設けたものである。
【００５６】
スイッチ回路２４７は、図４と同様にリレーを用いて構成することができる。スイッチ回路２４７は、接点２４７ａを接触片２４７ｂにより開閉するノーマルオープン型のスイッチであり、ＡＩＳＧ制御装置２１から直流電源がＢＳモデム２４に供給されるときは、オフ動作状態となり、直流電源が供給されると、その直流電源に基づいてオン動作するように構成されている。
【００５７】
この変形例６によれば、ＡＩＳＧ制御装置２１を動作させていない場合、すなわちＡＩＳＧ制御装置２１の電源が切られている場合、ＡＩＳＧ制御装置２１とＢＳモデム２４とを接続するＡＩＳＧケーブル２３の少なくとも一方のコネクタ２３ａ、２３ｂが外れたとき、ＡＩＳＧ制御装置２１からのＡＩＳＧ信号Ｓ２がＢＳモデム２４に送信されなくなるため、スイッチ回路２４７に直流電源が供給されなくなり、スイッチ回路２４７がオフ状態なる。このとき、ＲＦ給電ケーブル３からＢＳモデム２４の雑音Ｎが混入しても、その雑音Ｎがスイッチ回路２４７によって遮断できるので、モデム回路２４４の損傷を抑制することができる。
【００５８】
（変形例７）
図１２は、変形例７に係るＢＳモデムの内部の構成例を示す図である。この変形例７は、図２に示すＢＳ２４において、バイアスティー２４６と合成回路２４５との間にスイッチ回路２４７を設けたものである。
【００５９】
この変形例７によれば、変形例６と同様に、ＡＩＳＧ制御装置２１の電源が切られている場合や、ＡＩＳＧ制御装置２１とＢＳモデム２４とＡＩＳＧケーブル２３の少なくとも一方のコネクタ２３ａ、２３ｂが外れた場合、ＡＩＳＧ制御装置２１からのＡＩＳＧ信号Ｓ２がＢＳモデム２４に送信されなくなるため、スイッチ回路２４７に直流電源が供給されなくなり、スイッチ回路２４７がオフ状態なる。このとき、ＲＦ給電ケーブル３からＢＳモデム２４の雑音Ｎが混入しても、その雑音Ｎがスイッチ回路２４７によって遮断できるので、合成回路２４５及びモデム回路２４４の損傷を抑制することができる。
【００６０】
なお、本発明は、上記実施の形態及び上記変形例に限定されず、本発明の要旨の範囲内で種々に変形実施が可能である。例えば上記実施の形態及び上記変形例の構成要素を本発明の要旨の範囲内で任意に組み合わせることは可能である。
【００６１】
また、アンテナ筐体４００をアンテナの機能を兼ねずにアンテナをケーブルを介してアンテナユニット４０の筐体に接続してもよい。
【符号の説明】
【００６２】
１…アンテナシステム、２…アンテナ制御装置、３…ＲＦ給電ケーブル、３ａ…ＲＦコネクタ（第１のコネクタ）、３ｂ…ＲＦコネクタ（第２のコネクタ）、４…アンテナ装置、２０…無線機、２１…ＡＩＳＧ制御装置、２２…ＲＦ給電ケーブル、２２ａ、２２ｂ…コネクタ、２３…ＡＩＳＧケーブル、２３ａ、２３ｂ…ＡＩＳＧコネクタ、２４…ＢＳモデム、４０…アンテナユニット、４１…ＲＦ給電ケーブル、４１ａ、４１ｂ…ＲＦコネクタ、４２…アンテナモデム（復調回路）、４３…ＡＩＳＧケーブル、４３ａ、４３ｂ…ＡＩＳＧコネクタ、４４…ＡＩＳＧデバイス（制御部）、２００…筐体、２０１…コネクタ、２１０…筐体、２４０…筐体、２４１…ＲＦコネクタ、２４２…ＡＩＳＧコネクタ、２４２ａ…電源ライン、２４２ｂ…信号ライン、２４３…ＲＦコネクタ（第１のコネクタ）、２４４…モデム回路（変調回路）、２４５…合成回路、２４６…バイアスティー、４００…アンテナ筐体（アンテナ）、４０２…ＲＦコネクタ、４２０…筐体、４２１…ＡＩＳＧコネクタ、４２１ａ…電源ライン、４２１ａ、４２１ｂ…ＲＳ４８５信号ライン、４２２…分離回路（第２の分離回路）、４２３…モデム回路（復調回路）、４２４…バイアスティー（第１の分離回路）、４２５、４２５Ａ〜４２５Ｃ…スイッチ回路、４２５ａ…接点、４２５ｂ…接触片、４２５ｃ…電磁石部、４２６…ＲＦコネクタ（第２のコネクタ）、４２７…ＲＦコネクタ、４４０…筐体、Ｓ１…ＲＦ信号（給電信号）、Ｓ２…ＡＩＳＧ信号、Ｓ３…変調制御信号、Ｓ４…AISG Coaxial Interface信号（変調信号）、Ｓ５…合成信号
【図１】
2013232769.tif 000003
【図２】
2013232769.tif 000004
【図３】
2013232769.tif 000005
【図４】
2013232769.tif 000006
【図５】
2013232769.tif 000007
【図６】
2013232769.tif 000008
【図７】
2013232769.tif 000009
【図８】
2013232769.tif 000010
【図９】
2013232769.tif 000011
【図１０】
2013232769.tif 000012
【図１１】
2013232769.tif 000013
【図１２】
2013232769.tif 000014